【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
ゲーム画像の一部として所定の操作対象と所定の取得対象を表示するゲームであって、プレイヤーが前記操作対象を操作して前記取得対象を取得するゲームを行うためのゲームシステムにおいて、
前記取得対象の重心位置を示す重心位置データを記憶する記憶手段と、
プレイヤーによる前記操作対象の操作情報と、前記重心位置データとに基づき、前記操作対象の所定位置と当該取得対象の重心位置とが所定の距離範囲内であるかどうかを判定する判定手段と、
前記重心位置データに基づき、前記重心位置が分かるように、前記取得対象の重心位置付近の色、透明度、模様、形のうち少なくとも１つが、当該重心位置付近ではない前記取得対象の部分とは異なるゲーム画像を表示するためのゲーム情報を生成するとともに、前記取得対象を取得可能な距離範囲内であると判定された場合、当該取得対象をプレイヤーに対して提供するゲーム画像を表示するためのゲーム情報を生成する情報生成手段を有する提供手段と、
を含み、
前記重心位置データにおいて、前記重心位置は、前記取得対象の中心位置とは異なる位置に設定されていることを特徴とするゲームシステム。
【請求項２】
請求項１において、
前記重心位置データを更新する更新手段を含み、
前記判定手段は、前記操作対象の所定位置と取得対象の重心位置とが、当該取得対象を取得試行可能な距離範囲内であるが、当該取得対象を取得可能な距離範囲内ではない位置関係にあるかどうかを判定し、
前記情報生成手段は、前記操作対象の所定位置と取得対象の重心位置とが、当該位置関係にあると判定された場合、前記操作対象による当該取得対象の取得試行動作を示すゲーム画像を表示するためのゲーム情報を生成し、
前記更新手段は、前記操作対象の所定位置と取得対象の重心位置とが、当該位置関係にあると判定された場合、前記重心位置データにおける当該取得対象の重心位置を更新することを特徴とするゲームシステム。
【請求項３】
請求項２において、
前記操作情報を出力する操作手段と、ゲーム画像を表示し、前記提供手段の一部として機能する画像表示手段とを有し、前記ゲームを実行する端末装置と、
前記重心位置データと、前記ゲームを実行するためのゲームプログラムとを含む情報であって、かつ、前記端末装置を、前記記憶手段と、前記更新手段と、前記判定手段と、前記情報生成手段として機能させるための提供情報を、前記端末装置に送信し、前記提供手段の一部として機能する送受信手段を有する情報提供装置と、
を含み、
前記端末装置は、前記情報提供装置からの前記提供情報に基づき、前記ゲームを実行することを特徴とするゲームシステム。
【請求項４】
請求項２において、
前記操作情報を出力する操作手段と、
前記記憶手段と、
前記更新手段と、
前記判定手段と、
前記提供手段と、
を含むゲーム装置として形成されたことを特徴とするゲームシステム。
【請求項５】
請求項１〜４のいずれかにおいて、
前記操作対象を示す画像は、ホースの画像であり、前記取得対象を示す画像は球状のカプセルの画像であって、
前記情報生成手段は、前記操作情報が前記ホースの移動指示を示す情報である場合、前記ホースの画像を移動させるとともに移動停止時に前記ホースの吸い込み試行動作を示す画像を表示するためのゲーム情報を生成することを特徴とするゲームシステム。
【請求項６】
請求項５において、
前記判定手段は、前記ホースの画像の移動停止時に、前記ホースの中心位置と前記カプセルの重心位置とが、当該カプセルを取得試行可能な距離範囲内であるが、当該カプセルを取得可能な距離範囲内ではない位置関係にあるかどうかを判定し、
前記情報生成手段は、前記ホースの中心位置と前記カプセルの重心位置とが、当該カプセルを取得試行可能な距離範囲内であるが、当該カプセルを取得可能な距離範囲内ではない位置関係にあると判定された場合、前記ホースの吸い込み試行動作と、当該カプセルが揺れる動作を示す画像を表示するためのゲーム情報を生成することを特徴とするゲームシステム。
【請求項７】
請求項５、６のいずれかにおいて、
前記カプセルの画像は、透明または半透明の部分を有し、前記カプセルの中に賞品のアイコン画像を含んでいることを特徴とするゲームシステム。
【請求項８】
請求項７において、
前記提供手段は、プレイヤーがカプセルを取得した場合に、当該カプセルにおける前記賞品をプレイヤーに提供することを特徴とするゲームシステム。
【請求項９】
請求項２〜８のいずれかにおいて、
前記判定手段は、プレイヤーによる変更要求操作の発生イベント、プレイヤーが複数回連続して取得対象の取得に成功したイベント、プレイヤーが複数回連続して取得対象の取得に失敗したイベントのいずれかが該当する変更イベントが発生したかどうかを判定し、
前記更新手段は、前記変更イベントが発生した場合、前記取得対象を示す取得対象データおよび前記取得対象のゲーム空間内の配置を示す配置データの少なくとも一方を更新し、
前記情報生成手段は、前記取得対象データおよび前記配置データの少なくとも一方に基づき、前記取得対象および前記取得対象のゲーム空間内の配置の少なくとも一方を変更するゲーム画像を表示するためのゲーム情報を生成することを特徴とするゲームシステム。
【請求項１０】
ゲーム画像の一部として所定の操作対象と所定の取得対象を表示するゲームであって、プレイヤーが前記操作対象を操作して前記取得対象を取得するゲームを行うためのゲームシステムにおいて、
前記取得対象の重心位置を示す重心位置データを記憶する記憶手段と、
プレイヤーによる前記操作対象の操作情報と、前記重心位置データとに基づき、前記操作対象の所定位置と当該取得対象の重心位置とが所定の距離範囲内であるかどうかを判定する判定手段と、
当該判定手段によって取得対象を取得可能な距離範囲内にあると判定された場合、当該取得対象をプレイヤーに対して提供する提供手段と、
前記重心位置データを更新する更新手段と、
を含み、
前記更新手段は、前記操作対象の所定位置と取得対象の重心位置とが、当該取得対象を取得試行可能な距離範囲内であるが、当該取得対象を取得可能な距離範囲内ではない位置関係にあると判定された場合、当該取得対象の重心位置を元の位置とは異なる位置に設定するために、前記重心位置データにおける当該取得対象の重心位置を更新することを特徴とするゲームシステム。
【請求項１１】
ゲーム画像の一部として所定の操作対象と所定の取得対象を表示するゲームであって、プレイヤーが前記操作対象を操作して前記取得対象を取得するゲームを行うためのゲームシステム用のコンピュータにより読み取り可能なプログラムであって、
コンピュータを、
前記取得対象の重心位置を示す重心位置データを記憶する記憶手段と、
プレイヤーによる前記操作対象の操作情報と、前記重心位置データとに基づき、前記操作対象の所定位置と当該取得対象の重心位置とが所定の距離範囲内であるかどうかを判定する判定手段と、
前記重心位置データに基づき、前記重心位置が分かるように、前記取得対象の重心位置付近の色、透明度、模様、形のうち少なくとも１つが、当該重心位置付近ではない前記取得対象の部分とは異なるゲーム画像を表示するためのゲーム情報を生成するとともに、前記取得対象を取得可能な距離範囲内であると判定された場合、当該取得対象をプレイヤーに対して提供するゲーム画像を表示するためのゲーム情報を生成する情報生成手段を有する提供手段として機能させ、
前記重心位置データにおいて、前記重心位置は、前記取得対象の中心位置とは異なる位置に設定されていることを特徴とするプログラム。
【請求項１２】
請求項１１において、
前記重心位置データを更新する更新手段としてコンピュータを機能させ、
前記判定手段は、前記操作対象の所定位置と取得対象の重心位置とが、当該取得対象を取得試行可能な距離範囲内であるが、当該取得対象を取得可能な距離範囲内ではない位置関係にあるかどうかを判定し、
前記情報生成手段は、前記操作対象の所定位置と取得対象の重心位置とが、当該位置関係にあると判定された場合、前記操作対象による当該取得対象の取得試行動作を示すゲーム画像を表示するためのゲーム情報を生成し、
前記更新手段は、前記操作対象の所定位置と取得対象の重心位置とが、当該位置関係にあると判定された場合、前記重心位置データにおける当該取得対象の重心位置を更新することを特徴とすることを特徴とするプログラム。
【請求項１３】
請求項１１、１２のいずれかにおいて、
前記操作対象を示す画像は、ホースの画像であり、前記取得対象を示す画像は球状のカプセルの画像であって、
前記情報生成手段は、前記操作情報が前記ホースの移動指示を示す情報である場合、前記ホースの画像を移動させるとともに移動停止時に前記ホースの吸い込み試行動作を示す画像を表示するためのゲーム情報を生成することを特徴とするプログラム。
【請求項１４】
請求項１３において、
前記判定手段は、前記ホースの画像の移動停止時に、前記ホースの中心位置と前記カプセルの重心位置とが、当該カプセルを取得試行可能な距離範囲内であるが、当該カプセルを取得可能な距離範囲内ではない位置関係にあるかどうかを判定し、
前記情報生成手段は、前記ホースの中心位置と前記カプセルの重心位置とが、当該カプセルを取得試行可能な距離範囲内であるが、当該カプセルを取得可能な距離範囲内ではない位置関係にあると判定された場合、前記ホースの吸い込み試行動作と、当該カプセルが揺れる動作を示す画像を表示するためのゲーム情報を生成することを特徴とするプログラム。
【請求項１５】
請求項１３、１４のいずれかにおいて、
前記カプセルの画像は、透明または半透明の部分を有し、前記カプセルの中に賞品のアイコン画像を含んでいることを特徴とするプログラム。
【請求項１６】
請求項１５において、
前記提供手段は、プレイヤーがカプセルを取得した場合に、当該カプセルにおける前記賞品をプレイヤーに提供することを特徴とするプログラム。
【請求項１７】
請求項１２〜１６のいずれかにおいて、
前記判定手段は、プレイヤーによる変更要求操作の発生イベント、プレイヤーが複数回連続して取得対象の取得に成功したイベント、プレイヤーが複数回連続して取得対象の取得に失敗したイベントのいずれかが該当する変更イベントが発生したかどうかを判定し、
前記更新手段は、前記変更イベントが発生した場合、前記取得対象を示す取得対象データおよび前記取得対象のゲーム空間内の配置を示す配置データの少なくとも一方を更新し、
前記情報生成手段は、前記取得対象データおよび前記配置データの少なくとも一方に基づき、前記取得対象および前記取得対象のゲーム空間内の配置の少なくとも一方を変更するゲーム画像を表示するためのゲーム情報を生成することを特徴とするプログラム。
【請求項１８】
ゲーム画像の一部として所定の操作対象と所定の取得対象を表示するゲームであって、プレイヤーが前記操作対象を操作して前記取得対象を取得するゲームを行うためのゲームシステム用のコンピュータにより読み取り可能なプログラムであって、
コンピュータを、
前記取得対象の重心位置を示す重心位置データを記憶する記憶手段と、
プレイヤーによる前記操作対象の操作情報と、前記重心位置データとに基づき、前記操作対象の所定位置と当該取得対象の重心位置とが所定の距離範囲内であるかどうかを判定する判定手段と、
当該判定手段によって取得対象を取得可能な距離範囲内にあると判定された場合、当該取得対象をプレイヤーに対して提供する提供手段と、
前記重心位置データを更新する更新手段として機能させ、
前記更新手段は、前記操作対象の所定位置と取得対象の重心位置とが、当該取得対象を取得試行可能な距離範囲内であるが、当該取得対象を取得可能な距離範囲内ではない位置関係にあると判定された場合、当該取得対象の重心位置を元の位置とは異なる位置に設定するために、前記重心位置データにおける当該取得対象の重心位置を更新することを特徴とするプログラム。
【請求項１９】
コンピュータにより読み取り可能なプログラムを記憶した情報記憶媒体であって、請求項１１〜１８のいずれかのプログラムを記憶したことを特徴とする情報記憶媒体。